【事件の表示】
　特願２００２−　４７３１７「光ディスク装置」拒絶査定不服審判事件〔平成１５年　９月　５日出願公開、特開２００３−２４８９４２〕について、次のとおり審決する。
【結　論】
　本件審判の請求は、成り立たない。
【理　由】
 I．手続の経緯 
　本件審判の請求に係る特許願（以下「本願」という。）は、平成14年２月25日に出願されたものであって、平成16年５月26日付けで手続補正がなされたが、平成16年10月８日付けで拒絶すべきものである旨の査定がなされた。
　その後、平成16年11月15日付けで拒絶査定不服審判が請求されるとともに、これに対し、平成16年12月15日付けで手続補正がされたものである。 
 　 
 　 
II．平成16年12月15日付け手続補正についての補正却下の決定 
 　 
　〔補正却下の決定の結論〕 
 　平成16年12月15日付け手続補正を却下する。 　
　
　〔理由〕 
　１．平成16年12月15日付け手続補正（以下「本件補正」という。）における特許請求の範囲の請求項１について補正の内容 
　−本件補正前− 
　「【請求項１】　光検出素子を縦、横に２つずつ並べた４分割の光検出器を有し、本体にセットされた光ディスクに照射した光ビームの反射光を上記４分割の光検出器で検出することにより、上記光ディスクに記録されているデータを読み取るピックアップヘッドと、
　上記４分割の光検出器で検出される上記光ディスクからの反射光量が最大になるように、上記ピックアップヘッドに設けられている対物レンズを上記光ディスクに照射される光ビームの光軸方向に移動させるサーボ回路を制御するフォーカス制御部と、
　上記ピックアップヘッドが上記光ディスクから読み取ったデータに基づく再生信号を出力する再生部と、を備えた光ディスク装置において、
　上記フォーカス制御部は、上記対物レンズを上記光軸方向に移動させて、右上と左下の２つの光検出素子で検出されている反射光量の和と、左上と右下の２つの光検出素子で検出されている反射光量の和と、の差分信号をフォーカスエラー信号として測定し、
　
ここで測定したフォーカスエラー信号について、
ったときのレベルを
　上記対物レンズを移動させるサーボ回路をオフした状態で、上記フォーカスエラー信号の最大値と最小値と
の中心が上記基準レベル
　ここでバランスが調整された上記フォーカスエラー信号を用いて上記対物レンズの移動を制御する光ディスク装置。」（なお、下線は当審で付与した。）
  　 
　−本件補正− 　 
　「【請求項１】　光検出素子を縦、横に２つずつ並べた４分割の光検出器を有し、本体にセットされた光ディスクに照射した光ビームの反射光を上記４分割の光検出器で検出することにより、上記光ディスクに記録されているデータを読み取るピックアップヘッドと、
　上記４分割の光検出器で検出される上記光ディスクからの反射光量が最大になるように、上記ピックアップヘッドに設けられている対物レンズを上記光ディスクに照射される光ビームの光軸方向に移動させるサーボ回路を制御するフォーカス制御部と、
　上記ピックアップヘッドが上記光ディスクから読み取ったデータに基づく再生信号を出力する再生部と、を備えた光ディスク装置において、
　上記フォーカス制御部は、上記対物レンズを上記光軸方向に移動させて、右上と左下の２つの光検出素子で検出されている反射光量の和と、左上と右下の２つの光検出素子で検出されている反射光量の和と、の差分信号をフォーカスエラー信号として測定し、
　
この測定において、
るときの対物レンズの位置、上記フォーカスエラー信号の最大値、および最小値を測定し、
　
上記対物レンズが上記光ディスクからの反射光量が最大になる位置にあるときにおける、右上と左下の２つの光検出素子で検出されている反射光量の和と、左上と右下の２つの光検出素子で検出されている反射光量の和と、の差分をフォーカスエラー信号の
　上記対物レンズを移動させるサーボ回路をオフした状態で、上記フォーカスエラー信号の最大値と
上記基準レベルとの電位差、および上記フォーカスエラー信号の
基準レベルとの電位差が予め設定されている大きさ
算出し、第１のゲインおよび第２のゲインをここで算出した値に
　ここでバランスが調整された上記フォーカスエラー信号を用いて上記対物レンズの移動を制御する光ディスク装置。」（なお、下線は当審で付与した。）
　
　と、基準レベルに関して、本件補正前の「
ここで測定したフォーカスエラー信号について、
なったときのレベルを
この測定において、
るときの対物レンズの位置、上記フォーカスエラー信号の最大値、および最小値を測定し、上記対物レンズが上記光ディスクからの反射光量が最大になる位置にあるときにおける、右上と左下の２つの光検出素子で検出されている反射光量の和と、左上と右下の２つの光検出素子で検出されている反射光量の和と、の差分をフォーカスエラー信号の
　また、フォーカスエラー信号のバランス調整に関して、本件補正前の「対物レンズを移動させるサーボ回路をオフした状態で、上記フォーカスエラー信号の最大値と最小値と
の中心が上記基準レベル
上記基準レベルとの電位差、および上記フォーカスエラー信号の
基準レベルとの電位差が予め設定されている大きさ
算出し、第１のゲインおよび第２のゲインをここで算出した値に
　
　２．本件補正の目的 
　上記、特に下線部の補正により、本件補正前「４分割の光検出器で検出される上記光ディスクからの反射光量が最大に
なったときのレベルを
るときの対物レンズの位置
光ディスクからの反射光量が最大になる位置にあるときにおける、右上と左下の２つの光検出素子で検出されている反射光量の和と、左上と右下の２つの光検出素子で検出されている反射光量の和と、の差分
なったときのレベル
右上と左下の２つの光検出素子で検出されている反射光量の和と、左上と右下の２つの光検出素子で検出されている反射光量の和と、の差分
　また、本件補正前「フォーカスエラー信号の最大値と最小値と
の中心が上記基準レベル
上記基準レベルとの電位差、および上記フォーカスエラー信号の
基準レベルとの電位差が予め設定されている大きさ
基準レベルとの電位差
予め設定されている大きさ
　
　以上のとおり、上記本件補正の内容は、拒絶査定不服審判請求時の補正の要件を規定した平成18年改正前特許法第17条の２第４項各号に掲げる要件である
　(a)『請求項の削除について』は、該当しない。
　(b)『特許請求の範囲の限定的減縮について』は、上記のとおり特許請求の範囲を構成要件を加除して拡張ないし変更するものであるから該当しない。
　(c)『誤記の訂正について』は、「本来その意であることが明細書、特許請求の範囲又は図面の記載から明らかな字句・語句に正す」（審査基準）程度であるとしており、軽微な補正の範囲内のものでない。
　(d)『明瞭でない記載の釈明について』は、審査基準では「請求項の記載そのものが、文理上、意味が不明瞭であること、請求項自体の記載内容が他の記載との関係において不合理を生じていること、又は、請求項自体の記載は明瞭であるが請求項に記載した発明が技術的に正確に特定されず不明瞭であること等をいう」としており、明瞭でない記載の釈明の範囲のものでない。
　
　結局、本件補正は、平成18年改正前特許法第17条の２第４項第１〜４号の各号に規定された目的のいずれにも該当しない補正であることは明らかで、特許法第159条第１項において準用する同法第53条第１項の規定により却下する。
　
　
III．本願発明
　(1)本願発明
　平成16年12月15日付けの手続補正は、上記のとおり却下されたので、本願請求項に係る発明は、平成16年５月26日付け手続補正で補正された明細書の特許請求の範囲の請求項１に記載された事項により特定されるとおりのものと認められるところ、そのうち【請求項１】に係る発明は、上記〔理由〕１．−本件補正前−に記載する、次のとおりのものである。
　「光検出素子を縦、横に２つずつ並べた４分割の光検出器を有し、本体にセットされた光ディスクに照射した光ビームの反射光を上記４分割の光検出器で検出することにより、上記光ディスクに記録されているデータを読み取るピックアップヘッドと、
　上記４分割の光検出器で検出される上記光ディスクからの反射光量が最大になるように、上記ピックアップヘッドに設けられている対物レンズを上記光ディスクに照射される光ビームの光軸方向に移動させるサーボ回路を制御するフォーカス制御部と、
　上記ピックアップヘッドが上記光ディスクから読み取ったデータに基づく再生信号を出力する再生部と、を備えた光ディスク装置において、
　上記フォーカス制御部は、上記対物レンズを上記光軸方向に移動させて、右上と左下の２つの光検出素子で検出されている反射光量の和と、左上と右下の２つの光検出素子で検出されている反射光量の和と、の差分信号をフォーカスエラー信号として測定し、
　ここで測定したフォーカスエラー信号について、上記４分割の光検出器で検出される上記光ディスクからの反射光量が最大になったときのレベルを基準レベルとし、
　上記対物レンズを移動させるサーボ回路をオフした状態で、上記フォーカスエラー信号の最大値と最小値との中心が上記基準レベルになるように、右上と左下の２つの光検出素子で検出されている反射光量の和に対する第１のゲインと、左上と右下の２つの光検出素子で検出されている反射光量の和に対する第２のゲインと、を調整するフォーカスエラー信号のバランス調整を行い、
　ここでバランスが調整された上記フォーカスエラー信号を用いて上記対物レンズの移動を制御する光ディスク装置。」（以下「本願発明」という。）
 　 
　(2)刊行物について 
　これに対して、原査定の拒絶の理由で引用された刊行物である、特開平８−212567号公報（以下「刊行物１」という。）には、光ディスク記録／再生装置におけるフォーカス制御方法について、図面と共に、以下の記載がある。（なお、下線は当審で付与した。） 
　 (i)「【請求項５】　ディスク状の光記録媒体に情報を記録し、及び／又はディスク状の光記録媒体に記録された情報を再生する光ディスク記録／再生装置であって、ディスクを回転駆動する手段と、前記ディスクに対してデータを記録／再生する光ヘッドと、前記光ヘッドのレーザビームを発生するレーザパワー制御手段と、前記レーザビームの前記ディスクからの反射光を複数に分割したセンサにて検出しトラッキングエラー信号を生成して帰還し、前記光ヘッドを前記ディスクのトラック方向に位置決めする手段と、前記反射光を複数に分割したセンサにて検出しフォーカスエラー信号を生成して帰還し、前記光ヘッドをフォーカス方向に位置決めする手段と、情報の記録再生を行う手段と、前記情報の記録再生を行う手段との間でデータ授受を行い、記録再生信号を変調復調する変調復調手段と、前記複数に分割したセンサの出力を演算して得られる前記フォーカスエラー信号に対して、前記複数に分割したセンサの演算前の出力を増減してエラー出力のバランス量を変更するバランス設定手段又はフォーカスエラー信号にオフセット電圧を印加するオフセット設定手段と、前記フォーカス位置決め手段に応答し、前記フォーカスエラー信号の最良状態を測定する手段と、前記最良状態の測定値に対応する調整値を記憶する手段と、前記測定値に基づいて前記バランス量又はオフセット量を調整するためのバランス量調整値又はオフセット量調整値を設定する手段と、制御状態を表示する表示手段とを有する情報記録／再生装置におけるフォーカス制御方法において、
フォーカスサーチを実行するステップと、
　前記フォーカスサーチの実行中に前記フォーカスエラー信号の最大値と最小値を測定するステップと、
前記最大値と最小値の測定結果に基づいて、フォーカスサーボ引き込み制御のための前記バランス量調整値又はオフセット量調整値を設定するステップと、　
フォーカスサーボ引き込み制御を行うステップと、   　
前記フォーカスエラー信号の最良状態を測定するステップと、
前記測定値に基づいて前記フォーカスエラー信号を演算し、その演算結果が所定値より小さい場合は、前記バランス量調整値又はオフセット量調整値をそのままフォーカスサーボ制御を実行し、他方前記演算結果が前記所定値又は他の所定値より大きい場合は、前記バランス量調整値又はオフセット量調整値の設定の実行を行わずエラー状態を前記表示手段に表示するステップとを有することを特徴とする情報記録／再生装置におけるフォーカス制御方法。」
　 (ii)「【０００１】
【産業上の利用分野】
本発明は、ディスク状の記録媒体に対して信号を記録／再生する光ディスク記録／再生装置又は光ディスク再生装置の記録／再生ヘッドのサーボ制御機構に対する適切な制御に関し、具体的にはＣＤ（コンパクトディスク）、ＤＶＤ高密度（デジタルビデオディスク）
ディスク等に対してデータを記録、再生する情報記録再生装置における光ビームのフォーカス制御方法に関する。
【０００２】
【従来の技術】一般に、この種の情報記録再生装置では、光ヘッドのトラッキング制御とフォーカス制御が行われ、記録時及び再生時にデータを正確に書き込み、また読み出すようにしている。かかる制御は所謂サーボ制御回路により光ヘッドを制御することにより行われている。すなわち記録時にはディスクに光ビームスポットを与えるレーザの出力パワー（以下レーザパワーという）をディスクにより指定されるワット数に合わせて複数段階に調節し、また、再生時には反射率が異なる数種類（プリマスタードとＭＯ）のディスクに対してレーザパワーを複数段階に可変にしておき、再生光を適正にするためにトラッキングエラー信号及びフォーカスエラー信号のゲインを切り換え、この切換えを行う毎にこれらのエラー信号のオフセットを調整する。また、この際に他の装置との互換性を考慮してトラッキングエラー信号及びフォーカスエラー信号のオフセットやバランス等の調整対象を正確に調整しなければならない。
【０００３】
サーボ制御回路を含むサーボ制御系にて、光ヘッド、あるいは光ヘッドに含まれる光ピックアップにおけるレーザビームのフォーカスは、図２で非点収差法による４分割のＡ，Ｂ，Ｃ，ＤセンサのそれぞれをＩ／Ｖ変換し増幅した出力から生成するＡ＋Ｃ−Ｂ−ＤのフォーカスエラーＦＥと
【０００４】
【発明が解決しようとする課題】
　　　　　　　　　　　　・・・（省略）・・・。　
【０００５】また、
レーザビームの反射光のスポットが検出センサに対して光軸方向にずれると、フォーカスエラー信号であるＳカーブは対称であるがこのＳカーブ上の再生信号の最良品質点が中心からシフトするため、自動調整手段にて起動時に前記Ａ＋ＣまたはＢ＋Ｄのどちらかのゲインを変更することにより、又は、（Ａ＋Ｃ）−（Ｂ＋Ｄ）のフォーカスエラー信号にオフセットを注入することによりＳカーブをオフセットさせ再生信号の最良品質点を中心にしていたＳカーブを強引に非対称にして再生信号の最良品質点を中心にする
【０００６】また、前記ＡＢＣＤのセンサや増幅回路や光学系にオフセット電圧が発生するので自動調整手段にて起動時にこれを０にするようなオフセット調整回路がありこれを調整していた。しかし、これらを個々に起動後に調整したのでは、例えば前記の垂直方向のスポットずれと光軸方向のずれによるフォーカスエラー信号への影響が同じ方向になった場合Ｓカーブが大きく非対称になり、再生信号は最良の品質になるが、以降の動作にてフォーカス制御をオンとすることができなかったり、サーチができなかったり、サーボ制御が不安定になったりして問題となっていた。加えて大切なデータをフォーカスサーチにてサーボオンできないために読み出せないことが問題だった。」
　 (iii)「【００１１】また本発明の他の態様では上記目的を達成するために、
フォーカスサーボ制御をオンとするときにフォーカスエラー信号のＳカーブの最大と最小を測定してし、この差が所定値よりも大きい場合、または片側の値が所定値よりも小さい場合には、２つが同じ程度になるように演算又はテーブルによりバランス値又はオフセット値を設定する
　 (iv)「【００１８】
【実施例】以下、図面を参照して本発明の実施例について説明する。図２は本発明のフォーカス制御方法を実現する光ディスク記録／再生装置の一例としてのＭＤ記録再生装置を示すブロック図である。図３は図２中のプリアンプの要部を示す回路図である。また、図１は図２中のマイクロコンピュータ（マイコン）１１の動作中フォーカス制御に関連する部分の処理手順の一例（第１実施例）を示すフローチャートである。
【００１９】図２において、ＭＤ（ミニディスク）として知られている光磁気ディスク（ディスク又は光ディスクともいう）１には内周から外周に向かって渦巻き状に形成されたトラックがあり、光ピックアップ２はこのトラックに対してレーザビームスポットを与えることにより、所定のフォーマットの書誌情報、音声情報、映像情報が光学的に記録及び再生される。このディスク１は光ピックアップ２により読み出されて再生された信号に基づいてブロック１０のサーボ回路でサーボ制御を行い、スピンドルモータ３及びモータドライバ／トラッキング・フォーカス制御回路４によりＣＬＶ（線速度一定）で回転される。光ピックアップ２は重畳器５を有し、また、磁界変調ヘッド７と一体で動作する。光ピックアップ２と磁界変調ヘッド７で光ヘッドを構成している。光ヘッドはトラバースモータ６にてディスク１の半径方向に移動可能である。
【００２０】
光ピックアップ２はまた、レーザビームをディスク１に出射するレーザダイオードＬＤを有し、その反射光に基づいてディスク１に記録された光学的情報を再生するための信号ＲＦ１、ＲＦ２を出力したり、非点収差法の４分割のフォーカスエラー信号検出用信号Ａ〜Ｄ
を出力する。
　(v)「【００２６】また、図５のフォーカスエラー信号検出用の４分割センサＡＢＣＤの出力信号Ａ〜Ｄがフォーカスバランス用差動増幅器23Ｆに印加されて信号ＦＥ＝Ａ＋Ｃ−Ｂ−Ｄが演算される。この差動増幅器23Ｆの＋端子にはフォーカスバランス用可変抵抗手段24Ｆ１、24Ｆ２により決定されるフォーカスバランス電圧が印加される。したがって、この差動増幅器23Ｆは｛α（Ａ＋Ｃ）−Ｂ−Ｄ｝（αはフォーカスバランス調整量に対応する係数）のフォーカスエラー信号ＦＥを出力する。また、フォーカスオフセット差動増幅器27Ｆにオフセット電圧を印加することにより、（Ａ＋Ｄ）−（Ｂ＋Ｄ）＋βなるエラー信号上の位置決め位置を変更するフォーカスエラー信号ＦＥを出力する。また、信号Ａ〜Ｄが加算器20に与えられて、和信号ＡＳＯが作られて、ブロック１０のサーボ回路に送られる。
【００２７】ここで、フォーカスバランス用可変抵抗手段24Ｆ１、24Ｆ２と、後述するフォーカスゲイン用可変抵抗手段26Ｆとフォーカスオフセット用可変抵抗手段28Ｆと、トラッキングバランス用可変抵抗手段24Ｔ１、24Ｔ２と、トラッキングゲイン用可変抵抗手段26Ｔとトラッキングオフセット用可変抵抗手段28Ｔはともに、複数段の抵抗ラダー及びアナログスイッチで構成されている。また、フォーカスバランス用可変抵抗手段24Ｆ１と24Ｆ２の２つの可変抵抗値、トラッキングバランス用可変抵抗手段24Ｔ１と24Ｔ２の２つの可変抵抗値は連動して制御される。
【００２８】これらの可変抵抗手段24Ｆ、26Ｆ、28Ｆ、24Ｔ、26Ｔ、28Ｔの各アナログスイッチ群は、図１に示すマイコン11のレジスタ（ＲＡＭ11ｃ）に設定されたデータに応じたフォーカスバランス信号ＦＢＡＬ、フォーカスゲイン信号ＦＧ、フォーカスオフセット信号ＦＯＦＳ、トラッキングバランス信号ＴＢＡＬ、トラッキングゲイン信号ＴＧ、トラッキングオフセット信号ＴＯＦＳをマイコンデータＩ／Ｆ36から与えることにより、選択的にオン又はオフする。したがって、抵抗値がステップ状に変化し、フォーカス（Ｆ）信号のバランス（ＢＡＬ）、ゲイン（Ｇ）及びオフセット（ＯＦＳ）、トラッキング（Ｔ）信号のバランス（ＢＡＬ）、ゲイン（Ｇ）及びオフセット（ＯＦＳ）を調整することができる。
【００２９】差動増幅器23Ｆの出力電圧ＦＥはフォーカスゲイン用の増幅器25Ｆと可変抵抗手段26Ｆによりフォーカスゲイン信号ＦＧに基づいて増幅され、次いで、フォーカスオフセット用の差動増幅器27Ｆと可変抵抗手段28Ｆによりフォーカスオフセット信号ＦＯＦＳに基づいてフォーカスオフセットが調整される。この信号はフォーカスエラー信号ＦＥＯとしてサーボ回路10とマイコン11内のＡ／Ｄ変換器11ａに出力される。」
　(vi)「【００３９】次に第４実施例について説明する。
この実施例ではフォーカスサーチ時にフォーカスエラー信号のＳカーブの最大と最小を測定して、この差が所定値よりも大きい場合、または片側の値が所定値よりも小さい場合には、２つが同じ程度になるように演算又はテーブルによりバランス値を設定している。図９はかかる処理を示すフローチャートである。図１と同一部分は同一ステップ番号で示されている。ステップＳ３の後のステップＳ11にてフォーカスコイルに電流を印加し、これを増加して光ピックアップ２を上昇させる（ディスク１に近づける）。この光ピックアップ２の上昇中に発生するフォーカスエラー信号ＦＥＯのＳカーブにおけるＡ＋Ｃ側とＢ＋Ｄ側の電圧を測定し、Ａ＋Ｃ（Ｖｒｅｆの上側）、Ｂ＋Ｄ（Ｖｒｅｆの下側）を記憶する
【００４０】次に、Ａ＋Ｃ、Ｂ＋Ｄの双方が所定値Ｋ１より小さいか否かを判別することによりディスク１の有無を検出する（ステップＳ12）。Ａ＋Ｃ、Ｂ＋ＤのいずれもがＫ１より小さいときはエラーと判断し、「ディスク無し」の表示を表示手段18で行う。それ以外のときは、ステップＳ13で、Ａ＋ＣとＢ＋Ｄの双方が所定値Ｋ１を超えているかあるいは一方のみがＫ１を超えているかを判別する。これは経時変化の有無を調べるものである。
双方がＫ１を超えていればそのままのバランス量調整値ＦＢＡＬを設定する（ステップＳ14）。また、一方のみがＫ１を超えてれば両者の比を計算し、この比が１：１になるようにテーブルから値を参照しバランス量調整値ＦＢＡＬを設定する（ステップＳ15）
　
　以上の摘示事項を、図面を参照して整理すると、刊行物１には、以下の発明が記載されているものと認める。 
　「ＣＤ（コンパクトディスク）、ＤＶＤ高密度（デジタルビデオディスク）ディスク等の記録媒体に対して信号を記録／再生する光ディスク記録／再生装置又は光ディスク再生装置の記録／再生ヘッドのフォーカスサーボ制御機構に関し、
　光ヘッドに含まれる光ピックアップにおけるレーザビームをディスク１に出射するレーザダイオードＬＤを有し、その反射光に基づいてディスク１に記録された光学的情報を再生するための信号ＲＦ１、ＲＦ２を出力し、フォーカスサーボは非点収差法による４分割のＡ，Ｂ，Ｃ，ＤセンサのそれぞれをＩ／Ｖ変換し増幅した出力から生成するＡ＋Ｃ−Ｂ−ＤのフォーカスエラーＦＥ信号を検出してフォーカスコイルを駆動するループからなり、
　フォーカスコイルに電流を印加し、これを増加して光ピックアップ２を上昇させ（ディスク１に近づける）、光ピックアップ２の上昇中に発生するフォーカスエラー信号ＦＥＯのＳカーブにおけるＡ＋Ｃ側とＢ＋Ｄ側の電圧を測定し、Ａ＋Ｃ（Ｖｒｅｆの上側）、Ｂ＋Ｄ（Ｖｒｅｆの下側）を記憶し、Ａ＋Ｃ、Ｂ＋Ｄ両者の比を計算し、この比が１：１になるようにテーブルから値を参照しバランス量調整値ＦＢＡＬを設定するフォーカスサーボ制御装置。」（以下「刊行物１発明」という。）
　
　同様に原査定の拒絶の理由で引用された刊行物である、特開2001−222826号公報（以下「刊行物２」という。）には、ディスクプレーヤについて、図面と共に以下の記載がある。 
　(vii)「【０００６】上記構成において、光ピックアップ(２)の焦点がずれると、第１線路(95)を流れる第１加算信号と第２線路(96)を流れる第２加算信号に差が生じて、差動増幅器(93)からは、光ピックアップ(２)の焦点のずれに応じたフォーカスエラー信号が得られる。フォーカスエラー信号ＦＥは、図６(ａ)に示す如く、ディスク信号面との距離の変化に応じてＳ字状に変化し、このＳ字カーブが基準電圧Ｖｒｅｆをクロスする位置が合焦点となる。ここで、基準電圧Ｖｒｅｆを原点とするＳ字カーブの正負の振幅Ａ及びＢは、理論的には互いに等しくなる(Ａ＝Ｂ)。そこで、フォーカスエラー信号ＦＥが基準電圧Ｖｒｅｆに一致する様に、光ピックアップ(２)のフォーカスコイル電圧を制御することによって、光ピックアップ(２)の焦点が常にディスク信号面に合って、信号の読み取りが精度良く行なわれる。
【０００７】
【発明が解決しようとする課題】しかしながら、光ピックアップ(２)の４つのフォトディテクターａ、ｂ、ｃ、ｄには、特性のばらつきから感度に違いがあり、光ピックアップ(２)の焦点がディスク(１)の信号面に合っていたとしても、第１加算信号と第２加算信号に差が生じることがある。又、ＲＦアンプ(９)においても、回路素子の特性のばらつきから、第１加算信号が流れる経路の内部抵抗ｘと第２加算信号が流れる経路の内部抵抗ｙに差があり、光ピックアップ(２)から供給される第１加算信号と第２加算信号が同一レベルであったとしても、差動増幅器(93)の両入力端に入力される第１加算信号と第２加算信号に差が生じることがある。
【０００８】この様な場合、フォーカスエラー信号のＳ字カーブは、図６(ｂ)に示す如く基準電圧Ｖｒｅｆを中心とする上下のバランスが崩れて、Ｓ字カーブの正負の振幅Ａ１とＢ１には差が生じる(Ａ１≠Ｂ１)。この様な非対称のＳ字カーブに基づいてフォーカシングサーボを実行すると、真の合焦点が得られない問題がある。
【０００９】そこで従来より、サーボループに外乱を挿入することによってフォーカスバランスを調整する方式(特開平8-96384号［G11B7/09］参照)や、ＲＦ信号の振幅が最大となる様に調整値にオフセットを加える方式などが提案されている。しかしながら、従来のフォーカスバランスの調整は、ディスクを所定速度で回転させて、該ディスクからＲＦ信号を再生している状態で行なうものであるため、ディスクを所定速度で回転させるための時間が必要となって、迅速な調整が困難であるばかりでなく、トラッキングバランス等の他の調整にも影響を及ぼすフォーカスバランスの調整が、他の調整の後になってしまうため、全体として調整精度が低くなる問題があった。
【００１０】　　　　　　・・・（省略）・・・。　
【００１１】
【課題を解決する為の手段】本発明に係るディスクプレーヤは、４つのフォトディテクターを交叉する２本の対角線上に配置してなる光ピックアップを具え、これら４つのフォトディテクターの内、１本の対角線上に配置された２つのフォトディテクターの出力を加算して第１加算信号を作成すると共に、他の１本の対角線上に配置された２つのフォトディテクターの出力を加算して第２加算信号を作成し、第１加算信号と第２加算信号を引き算手段の両入力端に供給してフォーカスエラー信号を作成すると共に、第１加算信号と第２加算信号の和をとって再生信号を作成するものである。」
　(viii)「【００３１】図３のステップＳ10では、前記Ｓ字カーブのピーク値Ａ３とＢ３を測定し、ステップＳ11にて、ピーク値Ａ３とＢ３が等しいか否かが判断される。図４に示す例では、Ａ３≠Ｂ３となっているから、ステップＳ11ではノーと判断されて、ステップＳ12へ移行する。ステップＳ12では、ピーク値Ａ３がＢ３よりも大きいか否かが判断され、イエスと判断されたときはステップＳ13に移行して、図２に示す第２ゲイン調整器(32)を制御して、ゲインβを所定値だけ増大させる。一方、ステップＳ12でノーと判断されたときはステップＳ14に移行して、図２に示す第１ゲイン調整器(31)を制御して、ゲインαを所定値だけ増大させる。その後、ステップＳ９に戻って、ピーク値Ａ３とＢ３が等しくなる様に調整を繰り返し、ステップＳ11にてイエスと判断されたとき、手続きを終了する。
【００３２】図４の例では、同図(ｄ)の如くピーク値Ａ３がＢ３よりも小さいため、第１ゲイン調整器(31)が制御されて、ゲインαの増大によって、ピーク値Ａ３が増大されて、同図(ｅ)の如く調整後のピーク値Ａ３′、Ｂ３′がそれぞれピーク値Ｂ３と等しい値になっている。
【００３３】以上の手続きによって、図２に示す光ピックアップ(２)を構成する４つのフォトディテクターの感度のばらつきによるアンバランスが解消されることになる。
【００３４】この結果、図４(ｅ)に示す如く基準電圧Ｖｒｅｆを原点とするＳ字カーブの正負の振幅Ａ３′及びＢ３′が互いに等しくなり、この様なＳ字カーブに基づいて、フォーカスエラー信号ＦＥが基準電圧Ｖｒｅｆに一致する様、光ピックアップ(２)のフォーカスコイル電圧を制御することによって、光ピックアップ(２)の焦点が常にディスク信号面に合って、信号の読み取りが精度良く行なわれる。
【００３５】然も、図５のＲＦアンプ(９)から出力されるＲＦ信号においては、第１ゲイン調整器(31)又は第２ゲイン調整器(32)によるゲイン調整によって、４つのフォトディテクターの感度のばらつきによるアンバランスが解消されるので、高品質の信号再生が実現されることになる。又、第１ゲイン調整器(31)又は第２ゲイン調整器(32)によるゲイン調整においては、図４(ｄ)(ｅ)の如くＳ字カーブの２つのピーク値の内、低い方のピーク値を高い方のピーク値に合わせているので、結果として振幅の大きなＲＦ信号が得られることになり、これによってノイズの少ない信号再生が実現される。」
　
　同様に原査定の拒絶の理由で引用された刊行物３である、特開2000−276743号公報（以下「刊行物３という。）には、光磁気ディスクの記録再生方法及び記録再生装置についてのもので、図面と共に以下の記載がある。 　
　(ix)「【００７０】また、主情報の信号を記録する場合には、光磁気ディスク１に予め基準信号、あるいは、試し記録のためのデータ信号を記録し、フォーカスオフセット量を変化させながら再生し、再生信号の変調度が最大となる信号を再生するＤ／Ａ変換器35の電圧ＤＡ２を検出し記憶する。尚、フォーカスオフセット量を変化させながら試し記録、再生を行って、再生信号の振幅が最大となるオフセット量を検出する方法を用いてもよい。」
　　 
　(3)対比・判断 
　−対比− 
　(a)刊行物１発明の「ＣＤ（コンパクトディスク）、ＤＶＤ高密度（デジタルビデオディスク）ディスク等の記録媒体」は、本願発明における「光ディスク」に、同じく、ディスクからの反射光による「フォーカスサーボは非点収差法による４分割のＡ，Ｂ，Ｃ，ＤセンサのそれぞれをＩ／Ｖ変換し増幅した出力から生成するＡ＋Ｃ−Ｂ−ＤのフォーカスエラーＦＥ信号を検出してフォーカスコイルを駆動するループ」は、４分割のＡ，Ｂ，Ｃ，Ｄセンサが【図５】を参酌して縦、横に２つずつ並べた４分割の光検出器の構成であるから、本願発明における「光検出素子を縦、横に２つずつ並べた４分割の光検出器を有し、本体にセットされた光ディスクに照射した光ビームの反射光を上記４分割の光検出器で検出」に、それぞれ相当する。 
　(b)刊行物１発明の「光ヘッドに含まれる光ピックアップ」は、本願発明における「ピックアップヘッド」に、また刊行物１発明の「記録媒体に対して信号を記録／再生する光ディスク記録／再生装置又は光ディスク再生装置の記録／再生ヘッド」は「光ヘッドに含まれる光ピックアップ」からデータを読み取って再生していくもので、本願発明における「ピックアップヘッドが上記光ディスクから読み取ったデータに基づく再生信号を出力する再生部と、を備えた光ディスク装置」に相当する。
　(c)刊行物１発明の「記録／再生する光ディスク記録／再生装置又は光ディスク再生装置の記録／再生ヘッドのフォーカスサーボ制御機構」とのフォーカスサーボ制御機構は、「非点収差法による４分割のＡ，Ｂ，Ｃ，Ｄセンサ」からの信号を用いるものである。フォーカスサーボの目的・作用は、通常光ピックアップを光軸方向に移動させて光ディスクからの反射光量が最大となるよう、即ち、検出される光学的情報信号（ＲＦ）が最大領域の範囲となる方向に制御する機構のもの（例：特開平11−232655号公報の第２図，特開平６−290467号公報の【００２５】【００２６】及び【図４】，特開昭63−78344号公報等参照）であるから、本願発明における「光ディスクからの反射光量が最大になるように、上記ピックアップヘッドに設けられている対物レンズを上記光ディスクに照射される光ビームの光軸方向に移動させるサーボ回路を制御するフォーカス制御部」に相当する。 
　(d)刊行物１発明の「非点収差法による４分割のＡ，Ｂ，Ｃ，ＤセンサのそれぞれをＩ／Ｖ変換し増幅した出力から生成するＡ＋Ｃ−Ｂ−ＤのフォーカスエラーＦＥ検出手段」においての(Ａ＋Ｃ)−(Ｂ＋Ｄ)の差分信号はフォーカスエラー信号で、さらに「光ピックアップ２の上昇中に発生するフォーカスエラー信号ＦＥＯのＳカーブにおけるＡ＋Ｃ側とＢ＋Ｄ側の電圧を測定」する動作は【図３】を参酌して、本願発明における「フォーカス制御部は、上記対物レンズを上記光軸方向に移動させて、右上と左下の２つの光検出素子で検出されている反射光量の和と、左上と右下の２つの光検出素子で検出されている反射光量の和と、の差分信号をフォーカスエラー信号として測定」する動作に相当する。
　(e)刊行物１発明の「フォーカスコイルに電流を印加し、これを増加して光ピックアップ２を上昇させ（ディスク１に近づける）、この光ピックアップ２の上昇中に発生するフォーカスエラー信号ＦＥＯのＳカーブにおけるＡ＋Ｃ側とＢ＋Ｄ側の電圧を測定し、Ａ＋Ｃ（Ｖｒｅｆの上側）、Ｂ＋Ｄ（Ｖｒｅｆの下側）を記憶し、両者の比を計算し、この比が１：１になるようにテーブルから値を参照しバランス量調整値ＦＢＡＬを設定するフォーカスサーボ制御装置」であるが、上記測定で光ピックアップ２を上昇させ（ディスク１に近づける）得るということは、サーボ回路が機能している状態であれば、対物レンズを移動させることはできないところ、本願発明における「対物レンズを移動させるサーボ回路をオフした状態」にあることは自明である。
　また、刊行物１発明の「Ａ＋Ｃ側とＢ＋Ｄ側の電圧を測定し、Ａ＋Ｃ（Ｖｒｅｆの上側）、Ｂ＋Ｄ（Ｖｒｅｆの下側）を記憶」であるが、記憶していく値は、上記(iii)の【００１１】，(vi)の【００３９】等によれば、フォーカスエラー信号の最大値ないし最小値である。また、上記フォーカスサーボのバランス量調整は、上記(ii)の【０００５】によれば、反射光のスポット位置の、検出センサに対する光軸方向へのずれによるものであり、さらに「両者の比を計算し、この比が１：１になるようにテーブルから値を参照しバランス量調整」は、上記のとおり、「Ａ＋Ｃ」ないし「Ｂ＋Ｄ」のいずれかがフォーカスエラー信号の最大値ないし最小値で、「この比が１：１になるよう」に「バランス量調整」するものであるから、本願発明の「上記対物レンズを移動させるサーボ回路をオフした状態で、上記フォーカスエラー信号の最大値と最小値との中心が（所定）レベルになるように、調整するフォーカスエラー信号のバランス調整」に相当する。
　
 　結局、本願発明と刊行物１発明との［一致点］と［相違点］は以下のようになる。 
 　 
　［一致点］ 
　「光検出素子を縦、横に２つずつ並べた４分割の光検出器を有し、本体にセットされた光ディスクに照射した光ビームの反射光を上記４分割の光検出器で検出するピックアップヘッドと、
　上記４分割の光検出器で検出される上記光ディスクからの反射光量が最大になるように、上記ピックアップヘッドに設けられている対物レンズを上記光ディスクに照射される光ビームの光軸方向に移動させるサーボ回路を制御するフォーカス制御部と、
　上記ピックアップヘッドが上記光ディスクから読み取ったデータに基づく再生信号を出力する再生部と、を備えた光ディスク装置において、
　上記フォーカス制御部は、上記対物レンズを上記光軸方向に移動させて、右上と左下の２つの光検出素子で検出されている反射光量の和と、左上と右下の２つの光検出素子で検出されている反射光量の和と、の差分信号をフォーカスエラー信号として測定し、
　ここで測定したフォーカスエラー信号について、
　上記対物レンズを移動させるサーボ回路をオフした状態で、上記フォーカスエラー信号の最大値と最小値との中心が（所定）レベルになるように、調整するフォーカスエラー信号のバランス調整を行い、
　ここでバランスが調整された上記フォーカスエラー信号を用いて上記対物レンズの移動を制御する光ディスク装置。」の点。 
 　 
　［相違点］ 
　(イ)光ディスクに記録されているデータの読み取るピックアップヘッドについて、本願発明のものは「４分割の光検出器で検出することにより、上記光ディスクに記録されているデータを読み取る」というものであるが、刊行物１発明のものはディスクに記録されたデータを読み取る信号検出を４分割の光検出器から得るというものでない点。 
　(ロ)フォーカスエラーバランス調整について、本願発明のものは「上記４分割の光検出器で検出される上記光ディスクからの反射光量が最大になったときのレベルを基準レベル」とし、上記フォーカスエラー信号の最大値と最小値都の中心がこの基準レベルになるように「右上と左下の２つの光検出素子で検出されている反射光量の和に対する第１のゲインと、左上と右下の２つの光検出素子で検出されている反射光量の和に対する第２のゲインと、を調整」するというものであるが、刊行物１発明のものにはこの構成に関する記載がない点。
 　　 
　−判断− 
　相違点(イ)に関して、
　非点収差法等において、４分割のＡ，Ｂ，Ｃ，ＤセンサのそれぞれをＩ／Ｖ変換し、増幅した出力から生成するＡ＋Ｃ＋Ｂ＋Ｄ、即ち、４分割したセンサの総和をもって光ディスクに記録されたデータを読み取る手段とすることは周知（刊行物２の上記(2)(vii)の【００１１】乃至(viii)の【００３５】【図５】等参照。）であるから、刊行物１発明のものにおいても上記「４分割の光検出器で検出することにより、上記光ディスクに記録されているデータを読み取る」ピックアップヘッドの構成は当業者が容易になし得るものである。
　
　相違点(ロ)に関して、
　光ピックアップの４つの検出器には特性のばらつきから感度の違いがあり、光ピックアップの焦点がディスクの信号表面に合っていても、検出器「Ａ＋Ｃ」「Ｂ＋Ｄ」の信号に差が生じ調整を伴うことは自明（刊行物２の上記(2)(vii)の【０００７】等参照。）である。また、再生信号が最大領域の範囲となったとき、フォーカスエラー信号にオフセットが生じないでＳ字の信号波形がバランスのとれた理想的な状態、要するに、フォーカスエラー信号の波形がバランスの取れた状態となっているようにすることの技術的課題は特別の課題でない（例：特開平11−232655号公報の第２図，特開平６−290467号公報の第４図，特開昭63−78344号公報の第３図等参照）。そして、刊行物３には「フォーカスオフセット量を変化させながら再生し、再生信号の変調度が最大となる信号を再生する・・・フォーカスオフセット量を変化させながら試し記録、再生を行って、再生信号の振幅が最大となるオフセット量を検出する」（上記(2)(ix)の【００７０】等参照。）と、再生信号の振幅が最大となるように、フォーカスオフセット量を変化、ないしオフセット量を検出していく記載がある。
　このことから、刊行物１発明のものにおいて、「Ａ＋Ｃ（Ｖｒｅｆの上側）、Ｂ＋Ｄ（Ｖｒｅｆの下側）を記憶し、Ａ＋Ｃ、Ｂ＋Ｄ両者の比を計算し、この比が１：１」となるようにしていく『基準レベル』について、「４分割の光検出器で検出される上記光ディスクからの反射光量が最大になったときのレベルを基準レベル」としていくことは当業者が容易に想到できるものである。
　また、オフセット調整手段として、ゲインの値を変更しての調整は、刊行物１（上記(2)(V)等参照。）、及び、刊行物２「右上と左下の２つの光検出素子で検出されている反射光量の和に対する第１のゲインと、左上と右下の２つの光検出素子で検出されている反射光量の和に対する第２のゲインと、を算出し、第１のゲインおよび第２のゲインをここで算出した値に調整」（上記(2)(viii)等参照。）に記載があり周知である。
　よって、刊行物１発明のものにおいても「上記４分割の光検出器で検出される上記光ディスクからの反射光量が最大になったときのレベルを基準レベル」とし、上記フォーカスエラー信号の最大値と最小値都の中心がこの基準レベルになるように「右上と左下の２つの光検出素子で検出されている反射光量の和に対する第１のゲインと、左上と右下の２つの光検出素子で検出されている反射光量の和に対する第２のゲインと、を算出し、第１のゲインおよび第２のゲインと、を調整」する構成の採用は当業者が容易に想到できるものである。
　
　結局、本願発明は、刊行物１及び刊行物２,３に記載された発明に基づいて当業者が容易に発明をすることができたものと認められるから、特許法第29条第２項の規定により、特許を受けることができないものである。 
 　 
　
 ４．むすび 
　以上のとおりであるから、本願請求項１に記載された発明は、特許法第29条第２項の規定により特許を受けることができない。 
　したがって、本願は、拒絶すべきものである。 
 　 
　よって、結論のとおり審決する。